(57)【特許請求の範囲】
【請求項１】
利用者管理装置と、利用者に装着され前記利用者管理装置からの制御信号により表示を変更する表示装置と、出入口近傍の所定領域に前記表示装置が存在していることを検出し前記利用者管理装置に通知する所在検出装置とから構成される出入管理システムであって、
前記利用者管理装置は、
前記利用者と前記表示装置との対応関係を示す対応情報が保存されている記憶部と、
移動する利用者が出入資格を有するか否かを認証する認証手段と、
前記所在検出装置からの検出信号に基づいて、前記表示装置に対応する前記利用者が前記認証手段にて認証されているか否かを判定し、認証されていなければ未認証状態と判定する判定手段と、
前記判定手段により未認証状態と判定された前記表示装置に非接触通信により未認証状態を表示させる表示制御手段とを有することを特徴とした出入管理システム。
【請求項２】
前記判定手段は、前記表示装置の状態が未認証状態であると判定した後に、前記認証手段により前記利用者の認証処理が完了すれば当該表示装置の未認証状態の判定を解除し、
前記表示制御手段は、前記判定手段により未認証状態の判定が解除された前記表示装置の未認証状態を示す表示を解除させる請求項１に記載の出入管理システム。
【請求項３】
前記判定手段は、前記表示装置の状態が未認証状態であると判定した後に、前記所在検出装置により当該表示装置が前記所定領域から出た旨の検出信号を受信すれば、当該表示装置の未認証状態の判定を解除する機能を有し、
前記表示装置は、未認証状態を示す表示となった後に前記所定領域から出たことを検出すれば未認証状態を示す表示を解除する機能を有する
請求項１または請求項２に記載の出入管理システム。
【請求項４】
前記認証手段は、移動する利用者の顔画像を取得し、当該顔画像により利用者を認証する請求項１から請求項３の何れか１項に記載の出入管理システム。
【発明の詳細な説明】
【技術分野】
【０００１】
本発明は、利用者の建物への入退館や建物内での入退室などを管理する出入管理システムに関し、特に利用者の認証時において利用者に認証操作を意識させないウォークスルー型の出入管理システムに関する。
【背景技術】
【０００２】
従来、出入管理システムは、出入口付近に設置され、利用者の認証操作により利用者資格を認証する認証装置と、認証装置の認証結果に応じて扉の施解錠を制御する出入制御装置にて構成され、利用者の建物内での入退室等の出入を管理していた。近年では、更に、移動中の利用者を撮影し、撮影画像から利用者の顔を抽出し、抽出した顔画像とあらかじめ登録されている利用者資格を有する利用者の顔画像とを照合することにより、利用者資格を認証する認証装置を備え、利用者に認証操作を意識させずに入退室等を管理可能なウォークスルー型の出入管理システムが提案されている。（特許文献１）
【先行技術文献】
【特許文献】
【０００３】
【特許文献１】特開２００６−１７７０８６
【発明の概要】
【発明が解決しようとする課題】
【０００４】
しかしながら、従来のウォークスルー型の出入管理システムでは、入室資格を有する利用者であったとしても、当該利用者の顔がカメラ側を向いていなかったり、カメラからの死角に位置していたなどにより、正しく顔画像を撮影することができず、認証処理が完了しないことがあった。そのため、複数人が同時に入室等する場合、自らの認証処理が完了していないにもかかわらず、他の利用者の認証成功の結果によって解錠されたことにより誤って入室してしまい、本人が意図せずに共連れ状態となる問題があった。
【０００５】
そこで、本発明は、利用者に所持されるＩＤカード等に当該利用者の認証処理が完了したか否かを表示させることにより、本人及び周囲の利用者は相互に現在の認証状態を認識することができ、本人の意図しない共連れ入室等の不正入室行為の発生を抑止することを目的としたものである。
【課題を解決するための手段】
【０００６】
かかる課題を解決するために、利用者管理装置と、利用者に装着され前記利用者管理装置からの制御信号により表示を変更する表示装置と、出入口近傍の所定領域に前記表示装置が存在していることを検出し前記利用者管理装置に通知する所在検出装置とから構成される出入管理システムであって、前記利用者管理装置は、前記利用者と前記表示装置との対応関係を示す対応情報が保存されている記憶部と、移動する利用者が出入資格を有するか否かを認証する認証手段と、前記所在検出装置からの検出信号に基づいて、前記表示装置に対応する前記利用者が前記認証手段にて認証されているか否かを判定し、認証されていなければ未認証状態と判定する判定手段と、前記判定手段により未認証状態と判定された前記表示装置に非接触通信により未認証状態を表示させる表示制御手段とを有することを特徴とした出入管理システムを提供する。
【０００７】
上記構成により、利用者に所持されている表示装置が所定領域内で検出されると、当該利用者が未認証状態であるか否かが判定され、未認証状態であれば当該表示装置は未認証状態であることを示す表示となる。表示装置を所持する利用者およびその周囲の利用者は、表示装置の表示を確認することにより、認証処理が完了しているか否かを把握できる。したがって、利用者の意図しない共連れ入室等の不正入室行為の発生を抑止することができる。また、利用者は、例えば、カメラの方向に顔を傾けたり、歩行速度を変化させて他の利用者の陰にならないようにすることにより、カメラの死角とならないようにするといった行動をとることもできる。
【０００８】
また、上記出入管理システムにおいて、前記判定手段は、前記表示装置が未認証状態となった後に、前記認証手段により前記利用者の認証処理が完了すれば当該表示装置の未認証状態を解除する機能を有する。
上記判定手段により、未認証状態となった表示装置を所持する利用者の認証処理が完了すると、当該表示装置の未認証状態であることを示す表示が解除される。これにより、利用者およびその周囲の利用者は、表示装置の表示を確認することで、認証処理が完了していること把握できる。
【０００９】
更に、上記出入管理システムにおいて、前記利用者管理装置は、前記判定手段が前記表示装置が未認証状態となった後に、前記所在検出装置により当該表示装置が前記所定領域から出た旨の検出信号を受信すれば、当該表示装置の未認証状態を解除する機能を有し、前記表示装置は、未認証状態となった後に前記所定領域から出たことを検出すれば未認証状態を解除する機能を有する。
上記判定手段および表示装置により、未認証状態となった表示装置を所持する利用者の認証処理が完了しないまま、当該利用者が所定領域の外にでると、当該表示装置の未認証状態であることを示す表示が解除される。利用者が所定領域外に移動したということは、利用者が入室する意思がなくなったとみなす事ができるため、もはや意図しない共連れ状態となる心配はない。したがって、未認証状態である旨の表示をする必要がないと判断し、未認証状態であることを示す表示を解除することにより、表示装置の無駄な電力消費を低減させることができる。
【００１０】
また、本発明の好ましい態様では、前記認証手段は、移動する利用者の顔画像を取得し、当該顔画像により利用者を認証する上記出入管理システムとする。
【発明の効果】
【００１１】
上記のように、本発明の出入管理システムは、利用者に所持されるＩＤカード等に当該利用者の認証状態を表示することにより、利用者及び周囲の人物は相互に現在の認証状態を認識することができ、本人の意図しない共連れ入室等の不正入室行為の発生を抑止することができる。
【図面の簡単な説明】
【００１２】
【図１】実施例に係る出入管理システムの構成と運用イメージを模式的に示した図
【図２】出入制御装置の構成を示すブロック図
【図３】ＩＤカードホルダの構成を示すブロック図
【図４】管理装置の構成を示すブロック図
【図５】画像認識装置の構成を示すブロック図
【図６】ホルダ状態テーブルを示す図
【図７】監視領域テーブルを示す図
【図８】出入制御装置における処理を示すフローチャート
【図９】管理装置における処理を示すフローチャート
【図１０】通常状態のＩＤカードホルダにおける処理を示すフローチャート
【図１１】未認証状態のＩＤカードホルダにおける処理を示すフローチャート
【発明を実施するための形態】
【００１３】
以下、本発明の一実施形態として、複数の室を有する建物に本発明に係る出入管理システムを適用した場合の実施例について、図面を参照して説明する。
【００１４】
図１は、本実施例に係る出入管理システムの構成と運用イメージを模式的に示した図である。図１において、建物は、各室の利用者が共通に利用する共用通路、特定の利用者に制限された室Ａ、室Ｂに区画されている。室Ａおよび室Ｂと共用通路の間には、それぞれ電気錠付き扉Ｄ１、Ｄ２が設けられており、共用通路から室Ａ又は室Ｂへの入室を制限している。電気錠付き扉Ｄ１、Ｄ２は、利用者の顔画像を取得し、当該顔画像から利用者が誰かを識別する画像認識装置ＣＭ１、ＣＭ２からの信号に基づいて、入室資格を有する利用者と認証できた場合にのみ電気錠を解錠するように、出入制御装置Ｍ１、Ｍ２により制御される。なお、電気錠付き扉Ｄ１、Ｄ２は、通常時は施錠状態に維持されている。
【００１５】
利用者はＩＤカードホルダ３０を所持している。ＩＤカードホルダ３０は、無表示、入室許可状態、入室不許可状態、未認証状態の３種類の表示が可能な表示部３４を有する。ＩＤカードホルダ３０には、ＩＤカード３を収納することが可能である。なお、ＩＤカードホルダ３０は、複数の状態を同時に表示できる。
【００１６】
管理装置１は、例えば警備室や管理室などに設置され、通信網２を介して出入制御装置Ｍ１、Ｍ２および送受信装置Ｒ１、Ｒ２と接続されており、送受信装置Ｒ１、Ｒ２を介して無線通信により、ＩＤカードホルダ３０に対して表示部３４の表示制御を行う。なお、送受信装置Ｒ１、Ｒ２は、出入口近傍の領域である監視領域Ｃ１、Ｃ２のみをＩＤカードホルダ３０との無線通信可能領域としている。
【００１７】
次に、出入管理システムの概略動作を説明する。図１において、利用者Ｘは、室Ａへの入室資格を有する者である。利用者Ｙは、室Ａへの入室資格を有しているが、室Ｂへの入室資格を有しない者である。そして、利用者Ｚは、室Ａへの入室資格を有するが、画像認識装置ＣＭ１から見て、利用者Ｘの陰に位置しているため、画像認識装置ＣＭ１の死角となっている者である。
【００１８】
利用者Ｘが、共用通路から室Ａに入室する場合について説明する。前提として、共用通路内に所在する利用者に特段の制限をしていないので、ＩＤカードホルダ３０の表示部３４は基本的に無表示の状態である。このため、室Ａへの入室前の利用者Ｘが所持しているＩＤカードホルダ３０の表示部３４は無表示の状態である。
【００１９】
利用者Ｘは、室Ａに入室するために共用通路を移動中、画像認識装置ＣＭ１により、利用者Ｘの顔画像が取得される。画像認識装置ＣＭ１は、取得した顔画像から利用者Ｘを識別し、接続されている出入制御装置Ｍ１に対し、利用者Ｘの識別コードを送信する。出入制御装置Ｍ１は、受信した識別コードが予め入室許可されている識別コードか否かを照合する。すなわち、予め記憶している入室許可を受けている識別コードと、画像認識装置ＣＭから受信した識別コードとを照合し、合致していると入室資格があると認証する。ここでは、利用者Ｘは、室Ａへの入室資格を有するので、接続されている電気錠付き扉Ｄ１に対して解錠信号を送信する。出入制御装置Ｍ１は、電気錠付き扉Ｄ１の解錠制御をするとともに、入室許可者である旨の認証結果を通信網２から管理装置１へ送信する。
【００２０】
電気錠付き扉Ｄ１は出入制御装置Ｍ１から解錠信号を受けた場合に所定時間だけ電気錠を解錠する。
【００２１】
一方、利用者Ｘが携行するＩＤカードホルダ３０は、監視領域Ｃ１の内側に入ると、ＩＤカードホルダ３０ごとに付与されている自己のホルダＩＤを送受信装置Ｒ１へ送信する。ホルダＩＤを受信した送受信装置Ｒ１は、当該ホルダＩＤを通信網２経由で管理装置１に送信する。ホルダＩＤを受信した管理装置１は、利用者ＸのＩＤカードホルダ３０が監視領域Ｃ１の内側に入ったことを検出する。
【００２２】
監視領域Ｃ１内で利用者ＸのＩＤカードホルダ３０を検出すると、管理装置１は、利用者Ｘの認証処理が完了したか否かを確認する。上記のように、出入制御装置Ｍ２から既に入室許可者である旨の認証結果を受信している。そのため、管理装置１は、利用者ＸのＩＤカードホルダ３０に対して、入室許可の表示命令を送受信装置Ｒ１経由で送信し、ＩＤカードホルダ３０の表示部３４に入室許可状態を一定時間だけ表示させる。なお、利用者Ｘの識別コードとＩＤカードホルダ３０のホルダＩＤとの対応関係は、後述するように管理装置１に予め記憶されている。
【００２３】
このようにして、利用者Ｘが、室Ａに入室するときは、入室許可者であると認証され、電気錠が一定時間のみ解錠される。また、この際、利用者ＸのＩＤカードホルダ３０は、入室許可状態を表すランプが点灯する。これにより、利用者Ｘは、室Ａへの入室許可者であることを周囲の利用者に明示することができると共に、利用者Ｘ自身も室Ａへ入室する権限を有していることを認識することができる。
【００２４】
次に、室Ｂへの入室資格を有さない利用者Ｙが、室Ｂに入室を試みた場合の動作について説明する。
【００２５】
利用者Ｙは、室Ｂに入室するために共用通路を移動中、画像認識装置ＣＭ２により識別される。画像認識装置ＣＭ２は、利用者Ｙの識別コードを出入制御装置Ｍ２へ送信する。出入制御装置Ｍ２は、受信した利用者Ｙの識別コードを照合し、利用者Ｙが室Ｂへの入室資格を有しないため、電気錠は解錠されず、管理装置１に当該認証結果を通信網２経由で送信する。
【００２６】
一方、利用者Ｙが携行するＩＤカードホルダ３０は、監視領域Ｃ２の内側に入ると、ＩＤカードホルダ３０ごとに付与されている自己のホルダＩＤを送受信装置Ｒ２へ送信する。ホルダＩＤを受信した送受信装置Ｒ２は、当該ホルダＩＤを通信網２経由で管理装置１に送信する。ホルダＩＤを受信した管理装置１は、利用者ＹのＩＤカードホルダ３０が監視領域Ｃ２の内側に入ったことを検出する。
【００２７】
監視領域Ｃ２内で利用者ＹのＩＤカードホルダ３０を検出すると、管理装置１は、利用者Ｙの認証処理が完了したか否かを確認する。上記のように、出入制御装置Ｍ２から既に入室不許可者である旨の認証結果を受信している。そのため、管理装置１は、利用者ＹのＩＤカードホルダ３０に対して、入室不許可の表示命令を送受信装置Ｒ２経由で送信し、ＩＤカードホルダ３０の表示部３４に入室不許可状態を一定時間だけ表示させる。
【００２８】
これにより、利用者Ｙが室Ｂへの入室許可を受けていない者であることを周囲の利用者に明示することができると共に、利用者Ｙ自身も室Ｂへ入室する権限を有していないことを認識することができる。
【００２９】
次に、室Ａへの入室資格を有する利用者Ｚが、共用通路から室Ａに入室する場合について説明する。
【００３０】
上記のように、利用者Ｚは利用者Ｘの後ろに位置しており、画像認識装置ＣＭ１からの死角となっている。そのため、画像認識装置ＣＭ１は、利用者Ｚの顔画像を適切に取得することができず、利用者Ｚを識別することができていない。
【００３１】
利用者Ｚが携行するＩＤカードホルダ３０は、監視領域Ｃ１の内側に入ると、ＩＤカードホルダ３０ごとに付与されている自己のホルダＩＤを送受信装置Ｒ１へ送信する。ホルダＩＤを受信した送受信装置Ｒ１は、当該ホルダＩＤを通信網２経由で管理装置１に送信する。ホルダＩＤを受信した管理装置１は、利用者ＺのＩＤカードホルダ３０が監視領域Ｃ１の内側に入ったことを検出する。
【００３２】
監視領域Ｃ１内で利用者ＺのＩＤカードホルダ３０を検出すると、管理装置１は、利用者Ｚの認証処理が完了したか否かを確認する。上記のように、画像認識装置ＣＭ１による識別ができないため、管理装置１は出入制御装置Ｍ１から認証結果を受信していない。そのため、管理装置１は、利用者Ｚの認証処理が完了していないと判定し、利用者ＺのＩＤカードホルダ３０に対して、未認証状態の表示命令を送受信装置Ｒ１経由で送信し、ＩＤカードホルダ３０の表示部３４に未認証状態を表示させる。
【００３３】
これにより、利用者Ｚが、まだ認証されていないことを、利用者Ｚだけでなく、周囲の利用者も気づくことができる。したがって、利用者Ｚは、自らの認証処理が完了していないにもかかわらず、利用者Ｘの認証の結果によって解錠されたことに伴い、誤って共連れ状態となる問題の発生を抑制することができる。また、利用者は、例えば、カメラの方向に顔を傾けたり、歩行速度を変化させて他の利用者の陰にならないようにすることにより、カメラの死角から抜け出すといった、認証処理が完了しない原因を取り除くための行動をとることもできる。
【００３４】
次に、利用者Ｚが未認証状態となっていることに気づき、認証処理が完了するよう、歩行速度を緩めることにより、画像認識装置ＣＭ１からの死角とならない位置に移動した場合の動作の概略について説明する。
【００３５】
利用者Ｚは、画像認識装置ＣＭ１からの死角とならない位置に移動したことにより、画像認識装置ＣＭ１により識別される。画像認識装置ＣＭ１は、利用者Ｚの識別コードを出入制御装置Ｍ１へ送信する。出入制御装置Ｍ１は、受信した利用者Ｚの識別コードを照合し、利用者Ｚが室Ａへの入室資格を有するので、電気錠を解錠し、管理装置１に当該認証結果を通信網２経由で送信する。
【００３６】
管理装置１は、出入制御装置Ｍ１から、利用者Ｚが室Ａへの入室許可者である旨の認証結果を受けると、利用者ＺのＩＤカードホルダ３０に対して、入室許可の表示命令を送受信装置Ｒ１経由で送信し、ＩＤカードホルダ３０の表示部３４に未認証状態を消灯させ、入室許可状態を一定時間だけ表示させる。
【００３７】
このように、利用者Ｚの認証処理が完了することにより、利用者ＺのＩＤカードホルダ３０の未認証状態を解除することができる。したがって、利用者Ｚおよびその周囲の利用者は、ＩＤカードホルダ３０の表示を確認することにより、利用者Ｚの認証処理が完了していること把握できる。そして、利用者Ｚは、意図しない共連れ状態となる心配なく、室Ａへ入室することができる。
【００３８】
次に、利用者Ｚが未認証状態のまま、監視領域Ｃ１の外に移動した場合の動作の概略について説明する。
【００３９】
利用者Ｚが監視領域Ｃ１の外側に移動すると、利用者ＺのＩＤカードホルダ３０は、送受信装置Ｒ１との通信が不能であると検出する。それをもって、ＩＤカードホルダ３０は、監視領域Ｃ１の外側に出たと判定し、未認証状態を示している表示部３４を消灯させる。
【００４０】
このように、利用者Ｚが未認証状態であったとしても、監視領域Ｃ１の外に移動することによって、未認証状態を解除することができ、未認証状態を示している表示部３４を消灯させることができる。なお、利用者Ｚが監視領域Ｃ１の外側に移動したということは、利用者Ｚが室Ａへ入室する意思がなくなったとみなす事ができるため、もはや利用者Ｚの意図しない共連れ状態となる心配はない。そのため、未認証状態である旨の表示をする必要がないと判断でき、未認証状態を示している表示部３４を消灯させることにより、ＩＤカードホルダ３０の無駄な電力消費を低減させることができる。
【００４１】
次に、本実施例の出入管理システムにおける各構成要素について、図２〜図７を参照して詳細に説明する。
【００４２】
以下の説明では、電気錠付き扉Ｄ１、Ｄ２を総称するときは電気錠付き扉Ｄといい、画像認識装置ＣＭ１、ＣＭ２を総称するときは画像認識装置ＣＭといい、出入制御装置Ｍ１、Ｍ２を総称するときは、出入制御装置Ｍといい、送受信装置Ｒ１、Ｒ２を総称するときは送受信装置Ｒという。
【００４３】
なお、図１の構成では、電気錠付き扉Ｄごとに出入制御装置Ｍが設けられている。しかし、１つの出入制御装置Ｍが、複数の電気錠付き扉Ｄを集中管理するように構成されてもよい。
【００４４】
図４は、管理装置１の構成を示している。管理装置１は、コンピュータ機能を有しており、ＭＰＵ等で構成される制御部４０と、管理情報、処理プログラム、各種パラメータ、データ等を記憶する記憶部４１と、通信網２に接続され各出入制御装置Ｍや送受信装置Ｒと通信を行うＬＡＮ通信Ｉ／Ｆ４２とを備えている。
【００４５】
記憶部４１には、管理情報として、ホルダ状態テーブル４６、監視領域テーブル４７が記憶されている。
【００４６】
ホルダ状態テーブル４６は、図６に示されるように、各ＩＤカードホルダ３０を個別に識別できるホルダＩＤと、各ＩＤカードホルダ３０が貸与された利用者の識別コードと、各ＩＤカードホルダ３０のホルダ状態と、各ＩＤカードホルダ３０が検知された監視領域の識別名と、各ＩＤカードホルダ３０が検知された監視領域Ｃにおいて利用者の認証処理が完了したか否かを示す認証状態と、を対応づけるテーブルである。各ＩＤカードホルダ３０と利用者の識別コードとの対応については、ＩＤカードホルダ３０を利用者に貸与する際に管理者によって登録される。
【００４７】
ホルダ状態は、「通常状態」「入室許可状態」「入室不許可状態」「未認証状態」がある。「通常状態」は、正常に入室した利用者の所持するＩＤカードホルダ３０に対して付与される状態である。「入室許可状態」は、認証ＯＫと判定され、入室が許可された利用者の所持するＩＤカードホルダ３０に対して付与される状態であり、一定時間経過すると通常状態に戻る。「入室不許可状態」は、認証ＮＧと判定され、入室が許可されない利用者の所持するＩＤカードホルダ３０に対して付与される状態であり、一定時間経過すると通常状態に戻る。「未認証状態」は、監視領域Ｃ内に存在する利用者について、認証処理が完了していない利用者のＩＤカードホルダ３０に対して付与される状態である。なお、ホルダ状態テーブル４６のホルダ状態フィールドへは、複数のホルダ状態を登録することができる。
【００４８】
認証状態は、各ＩＤカードホルダ３０が検知された監視領域Ｃにおける利用者の認証処理が完了したか否かを示すものである。利用者の認証処理が完了した場合、すなわち、出入制御装置Ｍから認証結果を受信した場合、当該利用者の識別コードに対応する認証状態レコードに「済」が登録される。認証状態に登録されている「済」は、ホルダ状態が「通常状態」に戻った場合にクリアされる。
【００４９】
監視領域テーブル４７は、図７に示されるように、各送受信装置Ｒのアドレスコードと、各送受信装置Ｒの監視する監視領域Ｃの識別名と、各監視領域の手前の電気錠付き扉Ｄを解錠するための画像認識装置ＣＭのアドレスコードとを対応づけるテーブルである。
【００５０】
制御部４０は、出入制御装置Ｍおよび送受信装置Ｒからの情報から記憶部４１のホルダ状態テーブル４６および監視領域テーブル４７を更新する判定手段４３と、ＩＤカードホルダ３０に対して送受信装置Ｒ経由でホルダ状態の表示制御をする表示制御手段４４とを有している。
【００５１】
判定手段４３は、ＬＡＮ通信Ｉ／Ｆ４２経由で出入制御装置Ｍから受信する認証結果および送受信装置Ｒから受信する検出信号に基づいて、利用者が入室許可を受けているか否かを判定し、ホルダ状態テーブル４６のホルダ状態および認証状態を更新する。すなわち、出入制御装置Ｍから受信した認証結果が認証ＯＫとなった利用者の識別コードであれば、ホルダ状態テーブル４６の該当する利用者識別コードに対応するホルダ状態を「入室許可状態」に、そして認証状態を「済」に更新する。他方、出入制御装置Ｍから受信した認証結果が認証ＮＧとなった利用者の識別コードであれば、ホルダ状態テーブル４６の該当する利用者識別コードに対応するホルダ状態を「入室不許可状態」に、そして認証状態を「済」に更新する。また、送受信装置Ｒから受信する検出信号により、ＩＤカードホルダ３０が監視領域Ｃ内で検出された際、当該ＩＤカードホルダ３０の認証状態が「済」でなければ、ホルダ状態テーブル４６の該当するホルダＩＤに対応するホルダ状態を「未認証状態」に変更する。
【００５２】
なお、判定手段４３は、ＬＡＮ通信Ｉ／Ｆ４２経由でＩＤカードホルダ３０が監視領域Ｃに入った又は出たことを送受信装置Ｒが検出した情報を受信し、ホルダ状態テーブル４６に検知された監視領域の識別名を登録している。
【００５３】
表示制御手段４４は、ホルダ状態テーブル４６を常時参照し、ホルダ状態が変化するとＬＡＮ通信Ｉ／Ｆおよび送受信装置Ｒ経由で状態変化をしたＩＤカードホルダ３０の表示部３４の制御をする。例えば、ホルダ状態が通常状態から入室許可状態に変化すると、当該ＩＤカードホルダ３０に対して、入室許可の表示命令を送信する。あるいは、通常状態から未認証状態に変化すると、当該ＩＤカードホルダ３０に対して、未認証の表示命令を送信する。
【００５４】
次に、送受信装置Ｒは、管理装置１とは有線接続されており、ＩＤカードホルダ３０の通信Ｉ／Ｆ３３と無線通信するインターフェースをもっており、管理装置１からの表示指令やＩＤカードホルダ３０からのホルダＩＤなどの信号を中継する。また、送受信装置Ｒは、出入口付近の監視領域Ｃ内にＩＤカードホルダ３０が入ると無線通信を開始し、ＩＤカードホルダ３０と無線通信できたことをもってＩＤカードホルダ３０が監視領域Ｃに入ったと判断し、無線通信不能になったことをもってＩＤカードホルダ３０が監視領域Ｃから出たと判断し、管理装置１へＩＤカードホルダ３０の検知信号を送信する。
【００５５】
図５は、画像認識装置ＣＭの構成を示している。画像認識装置ＣＭは、コンピュータ機能を有しており、ＭＰＵ等で構成され画像認識装置ＣＭ全体を各種プログラムに基づいて制御する制御部５０と、各画像認識装置ＣＭを識別するアドレスコード、管理情報、処理プログラム、各種パラメータ、データ等を記憶する記憶部５１と、出入制御装置Ｍに接続され通信を行う通信Ｉ／Ｆ５２と、カメラ（図示せず）により画像データを取得する撮像部５３とを備えている。
【００５６】
撮像部５３のカメラは、天井など広範囲を撮影可能な位置に設置され、移動中の利用者を撮影する。記憶部５１には、データとして、あらかじめ建物内の移動を許可されている人物の顔画像が登録されている。
【００５７】
制御部５０は、撮像部５３により取得した画像から色情報や濃淡パターンを用いて利用者の顔を抽出する。そして、抽出した顔画像と、記憶部５１にあらかじめ登録されている建物内の移動を許可されている利用者の顔画像とを比較し、同一の利用者であるか否かを判断する。また、制御部５０は、あらかじめ登録されている建物内の移動を許可されている利用者と同一の利用者であると判断すると、出入制御装置Ｍへ当該利用者の識別コードを送信する。
【００５８】
このように、本実施例では、利用者が誰であるかを識別する機能として、広範囲を撮影可能なカメラを用いて撮影された移動中の利用者の画像で当該利用者を識別する画像認識装置ＣＭを利用することにより、利用者が立ち止まることなく入室資格の認証処理を完了することが可能なウォークスルー型の出入管理システムを構成している。
【００５９】
図２は、出入制御装置Ｍの構成を示している。出入制御装置Ｍは、コンピュータ機能を有しており、ＭＰＵ等で構成され出入制御装置Ｍ全体を各種プログラムに基づいて制御する制御部２０と、各出入制御装置Ｍを識別するアドレスコード、管理情報、処理プログラム、各種パラメータ、データ等を記憶する記憶部２１と、管理対象の画像認識装置ＣＭに接続され通信を行う認証装置Ｉ／Ｆ２５と、通信網２に接続され他の出入制御装置Ｍや管理装置１と通信を行うＬＡＮ通信Ｉ／Ｆ２２と、電気錠付き扉Ｄと接続される電気錠Ｉ／Ｆ２７とを備えている。
【００６０】
記憶部２１には、管理情報として、ＩＤテーブル２６を記憶している。ＩＤテーブル２６は、出入制御装置Ｍが管理している室への入室資格を有する利用者の識別コードを全て記憶したテーブルである。ＩＤテーブル２６は、画像認識装置ＣＭにて識別された利用者の識別コードの照合に利用される。
【００６１】
制御部２０は、画像認識装置ＣＭから受信した利用者の識別コードとＩＤテーブル２６に記憶されている識別コードとを照合し、識別コードが合致しているか否かにより利用者の通行可否を判定する判定手段２３を有する。なお、判定手段２３は、当該判定の結果である認証結果を、ＬＡＮ通信Ｉ／Ｆ２２を介して管理装置１に送信する。また、制御部２０は、判定手段２３にて利用者の通行を許可したときに、電気錠Ｉ／Ｆ２７を介して電気錠付き扉Ｄを解錠させる電気錠制御手段２４を備えている。
【００６２】
図３は、ＩＤカードホルダ３０の構成を示している。ＩＤカードホルダ３０は、他の利用者が表示部３４を視認できるように身体に装着され、ＩＤカード３を収納して使用される。ＩＤカード３の収納方法については、如何なる方法でもよく、本発明の本質的なことでないので説明は省略する。
【００６３】
ＩＤカードホルダ３０はコンピュータの機能を有しており、ＭＰＵ等から構成されＩＤカードホルダ３０の全体を制御する制御部３１と、各ＩＤカードホルダ３０を識別するホルダＩＤ、処理プログラム、各種パラメータなどを記憶する記憶部３２と、送受信装置Ｒと無線通信するための通信Ｉ／Ｆ３３と、ＬＥＤ等で構成される表示部３４とを備えている。
【００６４】
なお、本実施例では、利用者が誰であるかを識別する用途として、ＩＤカード３を用いてはいない。しかし、ＩＤカード３を画像認識装置ＣＭと併用することにより、より確実に利用者を識別するよう構成しても良い。この場合、ＩＤカード３には各利用者に付与された識別コードが保存され、画像認識装置ＣＭと共に設置されたカードリーダ（図示せず）により、当該識別コードが読み取たれる。
【００６５】
次に、図８〜図１１のフローチャートを参照して、出入管理システムの処理を説明する。
【００６６】
まず、出入管理装置Ｍで行われる処理について図８のフローチャートを参照して説明する。図８に示すように、出入制御装置Ｍの制御部２０は、画像認識装置ＣＭより認証要求を受信したか否かを判定する（Ｓ１０）。認証要求を受信していなければ（Ｓ１０−Ｎｏ）、ステップＳ１０を繰り返す。画像認識装置ＣＭにより利用者が誰であるかを識別されると、識別コードを制御装置Ｍに送信し、これによりステップＳ１０の判定がＹｅｓになる。そして、判定手段２３が、認証要求に含まれる識別コードを照合する（Ｓ１２）。ここで、判定手段２３は、記憶部２１のＩＤテーブル２６を参照し、受信した識別コードが登録されているか否かを照合する。
【００６７】
受信された識別コードと一致する識別コードがＩＤテーブル２６に登録されている場合（ステップＳ１４−Ｙｅｓ）、認証結果がＯＫとなり、解錠許可の処理が行われる（Ｓ１６）。解錠許可の処理では、出入制御装置Ｍは解錠制御を行う。解錠制御では、電気錠制御手段２４が機能し、電気錠付き扉Ｄに解錠信号が送られる。電気錠付き扉Ｄでは、解錠信号に従い電気錠が解錠される。また、制御部２０は、ＬＡＮ通信Ｉ／Ｆ２２を介して管理装置１に認証結果を送る。Ｓ１６にて解錠許可の処理が行われたときは、ＥＮＤに進み、出入制御装置Ｍの処理を終了する。
【００６８】
ステップＳ１２で、受信された識別コードがＩＤテーブル２６中の識別コードと一致しない場合、認証結果がＮＧとなり（Ｓ１４−Ｎｏ）、解錠不許可の処理が行われる（Ｓ１８）。解錠不許可の処理では、電気錠は解錠されず、制御部２０によりＬＡＮ通信Ｉ／Ｆ２２を介して管理装置１に認証結果が送信される。Ｓ１８にて解錠不許可の処理が行われたときは、ＥＮＤに進み、出入制御装置Ｍの処理を終了する。
【００６９】
次に、管理装置１で行われる処理について、図９のフローチャートを参照して説明する。
図９に示すように、管理装置１の判定手段４３は、監視領域ＣでＩＤカードホルダ３０を検出したか否かを判定する（Ｓ２０）。すなわち、判定手段４３は、ＩＤカードホルダ３０が送受信装置Ｒと通信が可能な範囲に入った場合に送受信装置Ｒから送信される検知信号を受信すると、当該送受信装置Ｒに対応する監視領域ＣにおいてＩＤカードホルダ３０を検出したと判定する（Ｓ２０−Ｙｅｓ）。
【００７０】
具体的には、判定手段４３において以下のようなＩＤカードホルダ３０の検出処理が行われる。ＩＤカードホルダ３０が送受信装置Ｒとの通信可能な範囲である監視領域Ｃに入った場合、ＩＤカードホルダ３０は、送受信装置Ｒに自らのホルダＩＤを送信する。ホルダＩＤを受信した送受信装置Ｒは、当該ホルダＩＤと送受信装置Ｒ自身のアドレスコードとを検知信号として管理装置１に送信する。管理装置１は、判定手段４３にて、記憶部４１に記憶されている監視領域テーブル４７を参照し、送受信装置Ｒのアドレスコードに対応する監視領域Ｃにて、ホルダＩＤに対応するＩＤカードホルダ３０を検出したと判定する。
【００７１】
監視領域ＣにおいてＩＤカードホルダ３０を検知した場合、進入処理が行われる（Ｓ２２）。進入処理では、判定手段４３は、ホルダ状態テーブル４６を参照し、検知されたホルダＩＤにおける検知された監視領域フィールドに、当該検知された監視領域Ｃの識別名を書き込む。
【００７２】
ステップＳ２２にて進入処理を実施した場合、判定手段４３は、出入制御装置Ｍから認証結果を受信しているか否かを判定する（Ｓ２４）。判定手段４３は、ホルダ状態テーブル４６を参照し、ステップ２０にて検出したＩＤカードホルダ３０のホルダＩＤに対応する認証状態フィールドを確認する。ここで、判定手段４３は、認証状態が「済」となっていた場合、認証結果を受信している判定し、ステップＳ２４の判定がＹｅｓになる。一方、判定手段４３は、認証状態が「済」となっていない場合、認証結果を受信していないと判定し、ステップＳ２４の判定がＮｏになる。
【００７３】
ステップＳ２４にて、出入制御装置Ｍから認証結果を受信したと判定し（Ｓ２４−Ｙｅｓ）、当該認証結果が認証ＯＫである場合（Ｓ２６−Ｙｅｓ）、入室許可状態への移行処理が行われる（Ｓ２８）。入室許可状態への移行処理では、判定手段４３は、ホルダ状態テーブル４６を参照し、ステップＳ２６で認証ＯＫと判定された利用者の識別コードに対応するレコードのホルダ状態フィールドを「入室許可状態」に、認証状態フィールドを「済」に更新する。そして、表示制御手段４４は、ＬＡＮ通信Ｉ／Ｆ４２を介して、当該識別コードに対応するホルダＩＤのＩＤカードホルダ３０宛に「入室許可の表示命令」を送信する。
【００７４】
ステップＳ２４にて、出入制御装置Ｍから認証結果を受信したと判定し（Ｓ２４−Ｙｅｓ）、当該認証結果が認証ＮＧである場合（Ｓ２６−Ｎｏ）、入室不許可状態への移行処理が行われる（Ｓ３０）。入室不許可状態への移行処理では、判定手段４３は、ホルダ状態テーブル４６を参照し、ステップＳ３６で認証ＮＧと判定された利用者の識別コードに対応するレコードのホルダ状態フィールドを「入室不許可状態」に、認証状態フィールドを「済」に更新する。そして、表示制御手段４４は、ＬＡＮ通信Ｉ／Ｆ４２を介して、当該識別コードに対応するホルダＩＤのＩＤカードホルダ３０宛に「入室不許可の表示命令」を送信する。なお、管理装置１から入室不許可の表示命令を受信した送受信装置Ｒは、宛先となるホルダＩＤを確認し、当該ホルダＩＤのＩＤカードホルダ３０に対して、「入室不許可の表示命令」を送信する。
【００７５】
ステップＳ２４にて、出入制御装置Ｍから認証結果を受信していない判定した場合（Ｓ２４−Ｎｏ）、未認証状態への移行処理が行われる（Ｓ３２）。未認証状態への移行処理では、判定手段４３は、ホルダ状態テーブル４６を参照し、ステップ２０にて検出したＩＤカードホルダ３０のホルダＩＤに対応するホルダ状態フィールドを「未認証状態」へと更新する。そして、表示制御手段４４は、ＬＡＮ通信Ｉ／Ｆ４２を介して、当該ホルダＩＤのＩＤカードホルダ３０宛に「未認証の表示命令」を送信する。
【００７６】
ステップＳ３２にて未認証状態への移行処理を実施した場合、判定手段４３は、ステップ２０にて検知されたＩＤカードホルダ３０が、ステップ２０にて検知された監視領域Ｃの外側へ移動したか否かを判定する（Ｓ３４）。すなわち、判定手段４３は、送受信装置ＲとＩＤカードホルダ３０との通信状態を監視し、両者における通信が遮断した場合、ＩＤカードホルダ３０が監視領域Ｃの外側へ移動したと判定する。具体的には、判定手段４３は、送受信装置Ｒを介してＩＤカードホルダ３０に定期的にポーリングし、ＩＤカードホルダ３０からのレスポンスを得られなかった場合に、ＩＤカードホルダ３０が監視領域Ｃの外へ移動したと判定する。または、送受信装置Ｒが定期的にポーリングし、ＩＤカードホルダ３０からのレスポンスを得られなかった場合に、当該結果を管理装置１に対して送信することによって、判定手段４３はＩＤカードホルダ３０が監視領域Ｃの外側へ移動したと判定してもよい。
【００７７】
ステップＳ３４にて、ＩＤカードホルダ３０が監視領域Ｃの外側に移動しない場合（Ｓ３４−Ｎｏ）、判定手段４３は、ステップＳ２０にて検出したＩＤカードホルダ３０に対応する認証結果を、出入制御装置Ｍから受信したか否かを判定する（Ｓ３６）。判定手段４３は、出入制御装置Ｍから認証結果を受信したと判定した場合（Ｓ３６−Ｙｅｓ）、ステップＳ２６へ進む。一方、判定手段４３は、ＩＤカードホルダ３０が監視領域Ｃの外側へ移動したと判定せず（Ｓ３４−Ｎｏ）、出入制御装置Ｍから認証結果を受信しない場合（Ｓ３６−Ｎｏ）、ステップＳ３４に戻り、ステップＳ３４とステップＳ３６の処理を繰り返す。
【００７８】
ステップＳ３４にて、ＩＤカードホルダ３０が監視領域Ｃの外側に移動した場合（Ｓ３４−Ｙｅｓ）、退出処理が行われる（Ｓ３８）。退出処理では、判定手段４３は、ホルダ状態テーブル４６を参照し、監視領域Ｃの外側に移動したＩＤカードホルダ３０のホルダＩＤに対応するホルダ状態フィールドを「通常状態」へと更新し、検知された監視領域フィールド、認証状態フィールドをクリアする。
【００７９】
Ｓ２８にて入室許可状態への移行処理が行われたとき、Ｓ３０にて入室不許可状態への移行処理が行われたとき、Ｓ３８にて退出処理が行われたときは、ＥＮＤに進み、処理を終了する。
【００８０】
次に、通常状態のＩＤカードホルダ３０で行われる処理について図１０のフローチャートを参照して説明する。
図１０に示すように、ＩＤカードホルダ３０の制御部３１は、ＩＤカードホルダ３０が監視領域Ｃの内側に移動したか否かを判定する（Ｓ６０）。すなわち、制御部３１は、送受信装置Ｒとの間における通信の状態を監視し、送受信装置Ｒとの通信が開始された場合、ＩＤカードホルダ３０が監視領域Ｃの内側に移動したと判定する。
【００８１】
ＩＤカードホルダ３０が監視領域Ｃの内側に移動したと判定された場合（Ｓ６０−Ｙｅｓ）、進入処理が行われる（Ｓ６２）。進入処理では、制御部３１は、記憶部３２に保存されているホルダＩＤを送受信装置Ｒに送信し、また、記憶部３２に保存されている監視領域内フラグをＯＮとする。なお、ＩＤカードホルダ３０が監視領域Ｃの内側に移動しない場合（Ｓ６０−Ｎｏ）、ステップＳ６０の処理を繰り返す。
【００８２】
制御部３１は、監視領域内フラグがＯＮとなったことを受けて、送受信装置Ｒからホルダ状態の表示命令を受信したか否かを判定する（Ｓ６４）。送受信装置Ｒからホルダ状態の表示命令を受信せずに（Ｓ６４−Ｎｏ）、当該監視領域Ｃの外側への移動を判定されない（Ｓ６６−Ｎｏ）間、ステップＳ６４とステップＳ６６の処理を繰り返す。
【００８３】
一方、送受信装置Ｒからホルダ状態の表示命令を受信せずに（Ｓ６４−Ｎｏ）、当該監視領域Ｃの外側への移動を判定した場合（Ｓ６６−Ｙｅｓ）、退出処理が行われる（Ｓ６８）。退出処理では、制御部３１は、記憶部３２に保存されている監視領域内フラグをＯＦＦとする。退出処理が行われると、ステップＳ６０に戻る。
【００８４】
ステップ６４にて、ホルダ状態の表示命令を受信したと判定した場合（Ｓ６４−Ｙｅｓ）、制御部３１は、当該表示命令が「入室許可の表示命令」であるか否かを判定する（Ｓ７０）。当該変更情報が、「入室許可の表示命令」である場合（Ｓ７０−Ｙｅｓ）、記憶部３２に保存されている入室許可状態を示すフラグをＯＮとし、表示部３４に対して「入室許可状態」を表すランプを点灯させる（Ｓ７２）。
【００８５】
ステップ６４にて受信したホルダ状態の表示命令が「入室不許可の表示命令」である場合（Ｓ７０−Ｎｏ、Ｓ７４−Ｙｅｓ）、制御部３１は、記憶部３２に保存されている入室不許可状態を示すフラグをＯＮとし、表示部３４に対して「入室不許可状態」を表すランプを点灯させる（Ｓ７６）。
【００８６】
ステップ６４にて受信したホルダ状態の表示命令が「未認証の表示命令」である場合（Ｓ７０−Ｎｏ、Ｓ７４−Ｎｏ）、制御部３５は、記憶部３２に保存されている未認証状態を示すフラグをＯＮとし、表示部３４に対して「未認証状態」を表すランプを点灯させる（Ｓ７８）。なお、「入室許可状態」および「入室不許可状態」の表示は、一定時間後に消灯させる。
【００８７】
ステップＳ７２、ステップＳ７６、ステップＳ７８にて、それぞれの状態を表すランプが点灯されると処理を終了する。
【００８８】
次に、現在のホルダ状態が「未認証状態」である場合におけるＩＤカードホルダ３０で行われる処理について図１１のフローチャートを参照して説明する。
【００８９】
図１１に示すように、ＩＤカードホルダ３０の制御部３１は、ＩＤカードホルダ３０が監視領域Ｃの外側に移動したか否かを判定する（Ｓ８０）。すなわち、制御部３１は、送受信装置Ｒとの間における通信の状態を監視し、送受信装置Ｒとの通信ができなくなった場合、ＩＤカードホルダ３０が監視領域Ｃの外側に移動したと判定する。
【００９０】
制御部３１は、ＩＤカードホルダ３０が監視領域Ｃの外側に移動したと判定した場合（Ｓ８０−Ｙｅｓ）、退出処理を行う。退出処理では、制御部３１は、記憶部３２に保存されている監視領域内フラグをＯＦＦとし、未認証状態を示すフラグをＯＦＦとする（Ｓ８２）。
【００９１】
記憶部３２に保存されている未認証状態を示すフラグがＯＦＦとなったことを受けて、制御部３１は、表示部３４に対して「未認証状態」を表すランプを消灯させる（Ｓ８４）。
【００９２】
ステップＳ８０にて、ＩＤカードホルダ３０が監視領域Ｃの外側に移動したと判定しない場合（Ｓ８０−Ｎｏ）、制御部３１は、管理装置１から送受信装置Ｒを介して、「入室許可の表示命令」または「入室不許可の表示命令」を受信したか否かを判定する（Ｓ８６）。制御部３１は、ステップＳ８０における監視領域Ｃ外への移動判定、およびステップＳ８６における「入室許可の表示命令」または「入室不許可の表示命令」を受信したか否かを判定を、何れかがＹｅｓとなるまで繰り返す。
【００９３】
ステップ８６にて、「入室許可の表示命令」または「入室不許可の表示命令」を受信したと判定すると（Ｓ８６−Ｙｅｓ）、制御部３１は、当該表示命令に応じたランプの点灯を行う。（Ｓ８８）
すなわち、「入室許可の表示命令」を受信した場合、制御部３１は、記憶部３２に保存されている入室許可状態を示すフラグをＯＮとして、表示部３４に対して「入室許可状態」を表すランプを点灯させる。また、「入室不許可の表示命令」を受信した場合、制御部３１は、記憶部３２に保存されている入室不許可状態を示すフラグをＯＮとして、表示部３４に対して「入室不許可状態」を表すランプを点灯させる。その後、制御部３１は、記憶部３２に保存されている未認証状態を示すフラグをＯＦＦとする。上記処理を終えると、ステップＳ８４に進む。
【００９４】
ステップＳ８４にて、未認証ランプの消灯が行われると、ＥＮＤに進み処理を終了する。
【００９５】
以上に本発明の実施の形態について説明した。
本実施の形態では、管理装置１、出入制御装置Ｍ、画像認識装置ＣＭおよび送受信装置Ｒが、本発明の利用者管理装置として機能している。また、ＩＤカードホルダ３０が、本発明の表示装置として機能している。また、送受信装置Ｒが、本発明の所在検出装置として機能している。また、管理装置１の記憶部４１が、本発明の記憶部として機能している。また、画像認識装置ＣＭが、本発明の認証手段として機能している。また、管理装置１の判定手段４３が、本発明の判定手段として機能している。また、管理装置１の表示制御手段４４が、本発明の表示制御手段として機能している。
【００９６】
本発明は、上記の実施例に限定されるものではなく、特許請求の範囲に記載した技術的思想の範囲内で、更に種々の異なる実施例で実施されてもよいものである。また、実施例に記載した効果は、これに限定されるものではない。
【００９７】
上記実施例では、認証結果に基づいて、ＩＤカードホルダ３０の表示部３４に入室許可状態または入室不許可状態を示すランプを一定時間だけ点灯させているが、これに限定されるものではない。例えば、室Ａ、室Ｂの室内にも送受信装置Ｒを更に設置し、管理装置１およびＩＤカードホルダ３０は、利用者が入室したか否かを検知する。そして、当該室内では、当該利用者のＩＤカードホルダ３０の表示部３４に対して、入室許可状態または入室不許可状態を示すランプを点灯させたままにしてもよい。これにより、室内にいる周囲の利用者に対して、当該利用者が入室許可者であることを常に明示することができる。
【００９８】
上記実施例では、ＩＤカードホルダ３０は、ステップＳ７８にて未認証状態を示すランプのみを点灯させているが、これに限定されず、更にブザー等を鳴動させてもよい。この場合、ＩＤカードホルダ３０には、表示部３４と共にブザー部が設けられ、制御部３１と接続される。これにより、ＩＤカードホルダ３０を身体に装着せずに所持のみしている利用者による不正滞留行為を、周囲の利用者は警告音によって検知することができる。
【００９９】
上記実施例では、利用者が所持するＩＤカードホルダ３０の表示部３４により、入室許可状態、入室不許可状態、対応警告状態を表示させているが、これに限定されるものではない。例えば、入館バッジや社員バッジ等に表示部を設けることにより、入室許可状態等を表示させてもよい。
【０１００】
上記実施例では、監視領域Ｃを送受信装置ＲがＩＤカードホルダ３０との通信できる範囲の領域としているが、これに限定されるものではない。例えば、監視領域Ｃを、送受信装置Ｒによって検出されるＩＤカードホルダ３０の電波強度が、所定閾値以上である範囲の領域としてもよい。これにより、当該閾値を調整することで、監視領域Ｃの範囲を、本発明を実施する建物環境等に応じて適切な範囲へと調整することができる。
【０１０１】
上記実施例では、送受信装置Ｒによって監視領域Ｃの内側に存在するＩＤカードホルダ３０を検出し、更にＩＤカードホルダ３０と非接触通信を行っているが、これに限定されるものではない。例えば、管理装置１に接続され、監視領域Ｃを含む領域を撮影している監視カメラによって、監視領域Ｃの内側に存在するＩＤカードホルダ３０を検出してもよい。そして、送受信装置Ｒとは異なる非接触通信装置によってＩＤカードホルダ３０との非接触通信を行ってもよい。
【０１０２】
上記実施例では、利用者が誰であるかを識別する一機能として、広範囲を撮影可能なカメラを用いて撮影された移動中の利用者の画像で当該利用者を識別する画像認識装置ＣＭを利用することにより、利用者が立ち止まることなく入室資格の認証処理を完了することが可能なウォークスルー型の出入管理システムを構成しているが、これに限定されるものではない。例えば、利用者に所持される無線タグ等の携帯型無線認証デバイスで、当該利用者を認証することにより、利用者が立ち止まることなく入室資格の認証処理を完了することが可能なウォークスルー型の出入管理システムを構成することができる。
【符号の説明】
【０１０３】
Ｘ、Ｙ、Ｚ・・・利用者
Ｄ・・・電気錠付き扉
ＣＭ・・・画像認識装置
Ｍ・・・出入制御装置
Ｒ・・・送受信装置
Ｃ・・・監視領域
１・・・管理装置
２・・・通信網
３・・・ＩＤカード
２０・・・制御部
２１・・・記憶部
２２・・・ＬＡＮ通信Ｉ／Ｆ
２３・・・判定手段
２４・・・電気錠制御手段
２５・・・認証装置Ｉ／Ｆ
２６・・・ＩＤテーブル
２７・・・電気錠Ｉ／Ｆ
３０・・・ＩＤカードホルダ
３１・・・制御部
３２・・・記憶部
３３・・・通信Ｉ／Ｆ
３４・・・表示部
３５・・・表示制御手段
４０・・・制御部
４１・・・記憶部
４２・・・ＬＡＮ通信Ｉ／Ｆ
４３・・・判定手段
４４・・・表示制御手段
４６・・・ホルダ状態テーブル
４７・・・監視領域テーブル
５０・・・制御部
５１・・・記憶部
５２・・・通信Ｉ／Ｆ
５３・・・撮像部
【図２】
0005411776.tif 000002
【図３】
0005411776.tif 000003
【図４】
0005411776.tif 000004
【図５】
0005411776.tif 000005
【図８】
0005411776.tif 000006
【図９】
0005411776.tif 000007
【図１０】
0005411776.tif 000008
【図１１】
0005411776.tif 000009
【図１】
0005411776.tif 000010
【図６】
0005411776.tif 000011
【図７】
0005411776.tif 000012